(57)【要約】【課題】視聴者がＥＰＧ内の視聴履歴を確認することにより、テレビ番組の見忘れ又は録画忘れ、再録画を防ぐことができるテレビジョン受信装置を提供すること。【解決手段】ＥＰＧ１００には、視聴履歴情報表示領域１０２及び番組情報表示領域１０３が表示される。視聴履歴情報表示領域１０２に、番組情報表示領域１０３に表示される番組情報の表示時間範囲と同じ時間範囲の所定の日の視聴履歴情報、例えば、チャンネル番号１０２ａ、以前視聴した番組の名称１０２ｂが番組情報と対応させて表示される。【選択図】図１
2008092339.tif 000002
【特許請求の範囲】
【請求項１】
視聴又は録画が開始された番組の番組情報、前記番組の開始及び終了時刻、前記番組の視聴状態の各情報を視聴履歴情報として記録し、該視聴履歴情報を番組情報と共に表示することを特徴とする電子番組表の表示方式。
【請求項２】
前記電子番組表は、電子番組表に表示する番組情報の表示時間範囲と同じ時間範囲の所定の日の視聴履歴情報を番組情報と対応させて表示することを特徴とする請求項１に記載の電子番組表の表示方式。
【請求項３】
前記電子番組表は、前記表示時間範囲を行又は列に連続的に区分し、当該表示時間範囲の区分に対応して前記視聴履歴情報及び前記番組情報を行又は列に区分して表示することを特徴とする請求項１又は２に記載の電子番組表の表示方式。
【請求項４】
前記視聴履歴情報を番組情報と共に表示するか否かを選択できることを特徴とする請求項１〜３のいずれか１に記載の電子番組表の表示方式。
【請求項５】
前記電子番組表は、番組詳細情報を表示する領域を区分する行又は列を有し、前記視聴履歴情報又は前記番組情報を表示する区分を選択することにより、前記番組詳細情報を表示する領域に、前記選択した区分の表示情報の詳細情報を表示することを特徴とする請求項３又は４に記載の電子番組表の表示方式。
【請求項６】
請求項１〜５のいずれか１に記載した電子番組表の表示方式を有することを特徴とするテレビジョン受信装置。
【発明の詳細な説明】
【技術分野】
【０００１】
本発明は、電子番組表の表示方式、及び、電子番組表の表示方式を有するテレビジョン受信装置に関する。
【背景技術】
【０００２】
現在では、デジタル放送による多チャンネル化に伴い、多数のテレビ番組が放送されている。そのため、テレビ番組の視聴者の利便性を向上させるべく、様々な技術が提案されている。そのような技術の一例として、テレビ番組の視聴履歴を動画又は静止画等と共に表示して、表示した視聴履歴情報をもとに選局できる技術が特許文献１に開示されている。
【特許文献１】特開２００４−３３６３１２号公報
【発明の開示】
【発明が解決しようとする課題】
【０００３】
前述した従来の技術によれば、番組選局時の利便性を向上させることができる。しかし、かかる技術を利用しても、現在、一般に用いられている電子番組表を利用して、テレビ番組を選択して視聴又は録画する際の利便性を向上させることは困難であり、テレビ番組の視聴又は録画に関して後述するような問題が発生している。
【０００４】
この問題とは、例えば、ＥＰＧ（電子番組表）を利用して連続ドラマを視聴又は録画する場合、毎週放送される連続ドラマなど定期的に放送される番組の視聴又は録画を忘れてしまうという問題である。また、既に視聴又は録画したテレビ番組が再放送される場合に、この再放送番組をうっかり再録画（重複録画）してしまうという問題である。
現在では、多チャンネル化に伴いＥＰＧに多数のテレビ番組が表示されるうえ、再放送番組が頻繁に放送されるため上述した問題が多発し、視聴者の利便性を損ねていた。
【０００５】
また、前述した従来の技術は、テレビ番組の視聴履歴を静止画又は動画と共に表示しているため、画像処理を行うための高性能ＣＰＵが必要となるのみならず、画像表示に必要な画像データを格納するための画像メモリが別途必要となる。そのため、製品価格が上昇する、さらに、機器の構成が複雑となり製造コストが増大していた。
【０００６】
本発明は、かかる実情に鑑みてなされたものであり、視聴者が、ＥＰＧに表示された視聴履歴を確認することにより、テレビ番組の見忘れ又は録画忘れ、再録画を防ぐことができるテレビジョン受信装置を提供することを目的とする。
【課題を解決するための手段】
【０００７】
第１の技術手段は、視聴又は録画が開始された番組の番組情報、前記番組の開始及び終了時刻、前記番組の視聴状態の各情報を視聴履歴情報として記録し、該視聴履歴情報を番組情報と共に表示することを特徴としたものである。
【０００８】
第２の技術手段は、第１の技術手段において、前記電子番組表は、電子番組表に表示する番組情報の表示時間範囲と同じ時間範囲の所定の日の視聴履歴情報を番組情報と対応させて表示することを特徴としたものである。
【０００９】
第３の技術手段は、第１又は２の技術手段において、前記電子番組表は、前記表示時間範囲を行又は列に連続的に区分し、当該表示時間範囲の区分に対応して前記視聴履歴情報及び前記番組情報を行又は列に区分して表示することを特徴としたものである。
【００１０】
第４の技術手段は、第１〜３のいずれか１の技術手段において、前記視聴履歴情報を番組情報と共に表示するか否かを選択できることを特徴としたものである。
【００１１】
第５の技術手段は、第３又は４の技術手段において、前記電子番組表は、番組詳細情報を表示する領域を区分する行又は列を有し、前記視聴履歴情報又は前記番組情報を表示する区分を選択することにより、前記番組詳細情報を表示する領域に、前記選択した区分の表示情報の詳細情報を表示することを特徴としたものである。
【００１２】
第６の技術手段は、第１〜５のいずれか１の技術手段における電子番組表の表示方式を有することを特徴としたものである。
【発明の効果】
【００１３】
本発明により、テレビ番組の見忘れ又は録画忘れ、再録画を防ぐことができるので、視聴者の利便性が向上する。また、一般のテレビジョン受信装置に実装されているＥＰＧ機能を利用することにより、視聴者の利便性を向上させているため、製品価格及び製造コストを増加させることなく、番組選択時の利便性が向上したテレビジョン受信装置を提供することができる。
【発明を実施するための最良の形態】
【００１４】
（実施例１）
図１は、本発明によるＥＰＧ１００の一例を示した図である。図示のＥＰＧ１００では、表示時間範囲を行に連続的に区分し、この表示時間範囲の区分に対応して視聴履歴情報表示領域１０２及び番組情報表示領域１０３を行に区分するようにして表示している。なお、ＥＰＧ１００にはカーソル１０６が表示されリモコンで操作することができる。
１０１は番組詳細情報表示領域であり、ＥＰＧ１００内に行に区分されて表示されている。この領域に、カーソル１０６があたっている番組の詳細情報、例えば、番組の放送局名及びチャンネル番号１０１ａ、番組名１０１ｂ、放送時間１０１ｃなどが表示される。なお、図示例では、表示時間範囲、視聴履歴情報表示領域１０２及び番組情報表示領域１０３を行単位に区分したが、列単位に区分してもよい。
【００１５】
視聴履歴情報表示領域１０２には、後述する番組情報表示領域１０３に表示される番組情報の表示時間範囲（０時〜５時）と同じ時間範囲の所定の日の視聴履歴情報を番組情報と対応させて表示されている。この表示領域に、チャンネル番号１０２ａ、以前視聴した番組の名称１０２ｂ、視聴状態を表すアイコン（図示しない）などが表示される。図示例では、所定の日とは、現在（８月３０日）から１週間前（８月２３日）を表示している。
【００１６】
視聴状態とは、過去に視聴した番組を、リアルタイムで視聴（通常視聴）したか、視聴予約により視聴したか、録画予約により録画したかということ、すなわち、どのように番組を視聴・録画したかということを意味している。
なお、テレビジョン受信装置に電源が入っていなかった場合、また、テレビジョン受信装置に電源が入っているがゲーム等をしていたため、番組を視聴してなかった場合には、何も表示されない。
【００１７】
番組情報表示領域１０３には、現在放送されている番組、または、放送予定の番組情報が表示される。図示例では、１０４に放送局毎にチャンネル番号と放送局名が表示され、１０５に放送中、放送予定の番組が時系列に従い順次表示されている。
【００１８】
番組をカーソル１０６にて選択すると、番組の放送局と番組名が強調（ハイライト）して表示され、さらに、前述したように番組詳細情報表示領域１０１に選択した番組の詳細情報が表示される。
【００１９】
図２は、本発明に係わる電子番組表の表示方式を有するテレビジョン受信装置を説明するためのブロック図である。
１はアナログ放送，デジタル放送を受信するアンテナで、２はテレビジョン受信装置１１を操作するためのリモコンで、３は液晶テレビ等の表示装置である。
１２は受信部で、放送データを選局（チューニング）する選局部１２１、選局した放送データを復調する復調部１２２、復調された放送データから映像データ、音声データ、ＥＰＧデータ、文字情報，図形情報等の画像データの分離を行う分離部１２３、分離した映像データをデコードする映像デコーダ１２４、同音声データをデコードする音声デコーダ１２５、同ＥＰＧデータをデコードするＥＰＧデコーダ１２６、同画像データをデコードするデータデコーダ１２７から構成される。なお、デコードしたＥＰＧデータは、記録部１３に記録される。
【００２０】
記録部１３は、視聴履歴情報１３ａ、前述したＥＰＧデータ１３ｂ等を記録する。視聴履歴情報には、テレビ番組が放送されたチャンネル、時間、番組内容などの詳細な情報、すなわち番組詳細情報に加えて、テレビ番組の視聴を開始、終了した時間、および、前述した視聴状態などが含まれる。視聴を開始した時間は、選局に成功した時間、もしくは番組が開始された時間であり、視聴を終了した時間は、次に視聴するテレビ番組の選局が成功した時間、もしくは、テレビ番組が終了した時間である。視聴履歴を記録する処理については後述する。
【００２１】
１４は各機能ブロックの制御に加え、視聴履歴情報の作成処理、ＥＰＧの作成処理等を実行する主制御部である。また、主制御部１４は、前述した視聴状態に関する情報を管理する。
【００２２】
視聴履歴情報の作成処理では、番組詳細情報、番組の視聴開始時間、終了時間、及び、視聴状態に関する情報から視聴履歴情報を作成する。
ＥＰＧの作成処理では、分離したＥＰＧデータ（番組配列情報：Ｓｅｒｖｉｃｅ  Ｉｎｆｏｒｍａｔｉｏｎ）の解析処理、ＥＩＴ（イベント情報テーブル：Ｅｖｅｎｔ  Ｉｎｆｏｒｍａｔｉｏｎ  Ｔａｂｌｅ）の抽出処理が行われる。さらに、後述するように、抽出したＥＩＴ及び前述した視聴履歴情報を基にして図１に図示したＥＰＧを表示するためのＥＰＧデータを作成する。
【００２３】
なお、番組配列情報（ＳＩ）とは番組選択の利便性のために規定された各種情報を意味し、(社)電波産業会において制定された規格(ＡＲＩＢ規格)で定義されている。ＳＩは、ＴＳ（Ｔｒａｎｓｐｏｒｔ  Ｓｔｒｅａｍ）中のＩＳＯ／ＩＥＣ１３８１８−１でユーザー定義可能として開放された領域を使用して、ＴＳに多重化されて放送局等から送信されている。
【００２４】
また、ＥＩＴは、イベント(番組を表すことが多い)情報を記述したテーブルで、前述したＳＩに含まれる各種情報の一つである。番組ごとに、開始時刻、番組時間、番組名、出演者、番組のジャンル等の情報がこのテーブルに記述される。
【００２５】
１５は表示装置３に表示する映像及びＥＰＧの表示制御を行う表示制御部である。
１６はリモコン２の発光信号を受光するリモコン受光部である。
【００２６】
次に、図３〜図５を用いて、視聴履歴情報を記録部１３に記録する処理を説明する。
図３では、視聴者がテレビジョン受信装置１１の電源を入れた後、初めて選局操作を行いテレビ番組を視聴する際に実行される視聴履歴情報の記録処理について説明する。
【００２７】
視聴者がテレビジョン受信装置１１の電源を入れた後（ステップＳ１）、リモコン２を使用して、テレビジョン受信装置１１に選局を指示すると（ステップＳ２）、リモコン２が選局指示信号をテレビジョン受信装置１１のリモコン受光部１６に向けて送信する（ステップＳ３）。
【００２８】
リモコン受光部１６が選局指示信号を受信すると、リモコン受光部１６は主制御部１４に選局指示信号を送信する（ステップＳ４）。主制御部１４がリモコン受光部１６から選局指示信号を受信すると（ステップＳ５）、選局指示信号に基づき、選局部１２１に選局を指示する（ステップＳ６）。
【００２９】
選局部１２１が、選局指示に基づき選局処理を実行すると（ステップＳ７）、選局結果を主制御部１４に通知する（ステップＳ８）。選局が成功すると（ステップＳ９：ＹＥＳ）、視聴する番組が決定される（ステップＳ１０）。
【００３０】
次に、主制御部１４は、現在の時刻、及び、内部で管理している視聴状態に関する情報を取得する（ステップＳ１１）。なお、このフロー図では、リモコン２を使用して番組が選局されているので、視聴状態に関する情報として、“通常視聴”の状態情報が取得されるが、予約視聴又は録画予約により番組が選局された場合には、“予約視聴”又は“録画予約”の状態情報が取得される。
【００３１】
次に、主制御部１４が、記録部１３から視聴する番組の番組詳細情報（ＥＰＧデータ）を取得し（ステップＳ１２）、視聴開始時刻（取得した現在時刻）、取得した番組詳細情報及び視聴状態から視聴履歴情報１３ａを作成し、記録部１３に記録する（ステップＳ１３）。前述した選局処理が失敗した場合には（ステップＳ９：ＮＯ）、選局に失敗した旨を表示して、視聴者に選局処理を促すようにしてもよいし、そのまま選局処理を終了するようにしてもよい。
【００３２】
なお、視聴が終了した後に、引き続き他のテレビ番組を視聴する場合、また、テレビジョン受信装置１１の電源を切断する場合には、図４に示す処理を実行する。
【００３３】
図４は、視聴者が番組を視聴した後、他の番組を選局した後に実行される視聴履歴情報の記録処理について説明するためのフロー図である。
視聴者がリモコンを用いて視聴する番組を決定すると（ステップＳ２１〜ステップＳ２９）、主制御部１４は、現在の時刻、視聴状態を取得し（ステップＳ３０）、記録部１３に記録されている選局直前の番組に対応する視聴履歴情報に含まれる視聴終了時刻を現在の時刻に更新する（ステップＳ３１）。
【００３４】
なお、このフロー図では、選局が成功した場合に、視聴終了時刻を現在の時刻に更新したが、テレビジョン受信装置１１の電源を切断する等して、番組の視聴を終了した場合にも、視聴終了時刻を現在の時刻に更新する。また、番組の放送が終了した後、引き続き放送される番組を視聴する場合にも、視聴終了時刻を現在の時刻に更新する。
【００３５】
次に、主制御部１４が、記録部１３から選局に成功した番組の番組詳細情報（ＥＰＧデータ）を取得し（ステップＳ３２）、視聴開始時刻、取得した番組詳細情報及び視聴状態から視聴履歴情報１３ａを作成し、記録部１３に記録する（ステップＳ３３）。
【００３６】
また、視聴者が短時間にチャンネルを連続して変更（ザッピング）する場合には、無駄な視聴履歴情報が記録部１３に記録されてしまう。このようなことを防止するため、一定時間、同じ番組を視聴した場合にのみ、視聴履歴情報を記録部１３に記録するようにしてもよい。
図５は、かかる記録処理を説明するためのフロー図である。
視聴者の指示による選局処理が成功し、視聴する番組を決定すると（ステップＳ４１〜ステップ４９）、主制御部１４は、現在の時刻を取得する（ステップＳ５０）。
【００３７】
次に、主制御部１４が、直前に視聴していた番組の終了時刻を取得すると（ステップＳ５１）、主制御部１４は、取得した現在時刻と直前に視聴していた番組の視聴終了時刻を比較して、選局後、一定時間が経過したか判定する（ステップＳ５２）。選局後、一定時刻が経過した場合には（ステップＳ５２：ＹＥＳ）、主制御部１４は、視聴履歴情報１３ａを作成し、記録部１３に記録する（ステップＳ５３〜ステップＳ５５）。選局後、一定時刻が経過していない場合には（ステップＳ５２：ＮＯ）、記録処理を行わずに、ステップＳ４１に戻る。
【００３８】
なお、テレビジョン受信装置１１に複数のチューナが搭載されている場合には、各チューナで選局した番組情報を記録することもできる。
【００３９】
次に、図６を参照して、ＥＰＧ作成処理、及び、表示制御部１５におけるＥＰＧ表示処理を説明する。
視聴者がリモコン２を使用して、テレビジョン受信装置１１にＥＰＧ表示を指示すると（ステップＳ６１）、リモコン２が表示指示信号をリモコン受光部１６に向けて送信する（ステップＳ６２）。
【００４０】
次に、リモコン受光部１６が表示指示信号を受信すると、リモコン受光部１６は主制御部１４に表示指示信号を送信する（ステップＳ６３）。主制御部１４が、リモコン受光部１６から表示指示信号を受信すると（ステップＳ６４）、記録部１３から表示する全チャンネル分の視聴履歴情報１３ａ、ＥＰＧデータ１３ｂを取得し（ステップＳ６５）、表示用のＥＰＧを作成する（ステップＳ６６）。さらに、主制御部１４は、作成した表示用のＥＰＧデータを表示制御部１５に転送する（ステップＳ６７）。
表示制御部１５は、表示用のＥＰＧデータの表示処理を実行し、図１に例示したＥＰＧを表示装置３に表示する（ステップＳ６８）。
【００４１】
また、視聴者が過去に視聴した番組の詳細情報を表示させる場合には、視聴履歴情報表示領域１０２の区分を選択すれば、番組詳細情報表示領域１０１に選択した区分の表示情報の詳細情報が表示される。
具体的には、図７に示したように、視聴履歴情報表示領域１０２に表示された番組にカーソル１０６を合わせればよい。図７は、視聴履歴情報表示領域１０２に表示された番組にカーソル１０６を合わせた場合に、番組詳細情報表示領域１０１に番組情報が表示される様子を示した図である。
【００４２】
図７に示したように、視聴履歴情報表示領域１０２に表示された番組にカーソル１０６を合わせると、番組詳細情報表示領域１０１に、番組を放送した放送局名及びチャンネル番号１０１ａ、番組名１０１ｂ、放送時間１０１ｃ、視聴状態１０１ｄ、視聴時間１０１ｅが表示される。
【００４３】
また、番組詳細情報表示領域１０１に、番組情報が表示されると同時にカーソル１０６を合わせた番組を放送した放送局のチャンネル番号、放送局名が強調表示される。図７では、テレビＸＹＺが強調表示されている。
なお、視聴者がリモコン２を用いてカーソルを左右に移動させると、カーソルを合わせた番組の詳細情報が番組詳細情報表示領域１０１に表示される。同時に、番組に対応した放送局のチャンネル番号、放送局名が強調表示される。
【００４４】
また、番組情報表示領域１０３に、カーソル１０６を合わせた番組と同一の番組（例えば、連続ドラマ）がある場合には、この番組をさらに強調表示するようにしてもよい。
なお、リモコン又は本体に備わっているボタン、または、メニュー画面等を利用して、視聴履歴情報表示領域１０２の表示／非表示を切り替えることができる。
【００４５】
（実施例２）
図８は、他の電子番組表の表示例である裏番組リスト２００を示した図で、番組視聴中に表示画面の片隅に表示される。
【００４６】
２０１は番組詳細情報表示領域であり、この領域に、カーソル２０６があたっている番組に関する情報、例えば、番組を放送した放送局名及びチャンネル番号２０１ａ、番組名２０１ｂ、放送時間２０１ｃ、視聴状態２０１ｄ、視聴時間２０１ｅが表示される。
２０２は視聴履歴情報表示領域であり、この表示領域に、以前視聴した番組の名称、チャンネル番号、視聴状態を表すアイコン（図示しない）などが表示される。
【００４７】
２０３は番組情報表示領域であり、この表示領域に、現在放送されている番組の裏番組情報が表示される。図示例では、２０４に放送局毎にチャンネル番号と放送局名が表示され、２０５に裏番組が表示されている。
【００４８】
番組をカーソル２０６にて選択すると、番組の放送局と番組名が強調（ハイライト）して表示され、さらに、前述したように番組詳細情報表示領域２０１に選択した番組の詳細情報が表示される。
【００４９】
なお、リモコン又は本体に備わっているボタン、または、メニュー画面等を利用して、視聴履歴情報表示領域２０２の表示／非表示を切り替えることができる。
【００５０】
このようして、ＥＰＧに表示された視聴履歴を確認できるため、テレビ番組の見忘れ又は録画忘れ、再録画を防ぐことができるので、視聴者の利便性が向上する。また、一般のテレビジョン受信装置に実装されているＥＰＧ機能を利用しているため、製品価格及び製造コストを増加させることなく、番組選択時の利便性が向上したテレビジョン受信装置を提供することができる。
【図面の簡単な説明】
【００５１】
【図１】本発明によるＥＰＧの一例を示した図である。
【図２】本発明に係わる電子番組表の表示方式を有するテレビジョン受信装置を説明するためのブロック図である。
【図３】視聴者が電源投入後、初めてテレビ番組を視聴する際の視聴履歴情報の記録処理について説明するためのフロー図である。
【図４】視聴者が番組視聴後、他の番組を選局した後に実行される視聴履歴情報の記録処理について説明するためのフロー図である。
【図５】一定時間、同じ番組を視聴した場合にのみ、視聴履歴情報を記録する処理について説明するためのフロー図である。
【図６】ＥＰＧ作成処理及びＥＰＧ表示処理を説明するためのフロー図である。
【図７】番組詳細情報表示領域に視聴した番組の情報が表示される様子を示した図である。
【図８】裏番組リストが表示される様子を示した図である。
【符号の説明】
【００５２】
１…アンテナ、２…リモコン、３…表示装置、１１…テレビジョン受信装置、１２…受信部、１２１…選局部、１２２…復調部、１２３…分離部、１２４…映像デコーダ、１２５…音声デコーダ、１２６…ＥＰＧデコーダ、１２７…データデコーダ、１３…記録部、１３ａ…視聴履歴情報、１３ｂ…ＥＰＧデータ、１４…主制御部、１５…表示制御部、１６…リモコン受光部、１００…ＥＰＧ、１０１，２０１…番組詳細情報表示領域、１０１ａ，２０１ａ…放送局名及びチャンネル番号、１０１ｂ，２０１ｂ…番組名、１０１ｃ，２０１ｃ…放送時間、１０１ｄ，２０１ｄ…視聴状態、１０１ｅ，２０１ｅ…視聴時間、１０２，２０２…視聴履歴情報表示領域、１０２ａ…チャンネル番号、１０２ｂ…番組の名称、１０３…番組情報表示領域、１０６，２０６…カーソル、２００…裏番組リスト。
【図１】
2008092339.tif 000003
【図２】
2008092339.tif 000004
【図３】
2008092339.tif 000005
【図４】
2008092339.tif 000006
【図５】
2008092339.tif 000007
【図６】
2008092339.tif 000008
【図７】
2008092339.tif 000009
【図８】
2008092339.tif 000010